(57)【要約】      （修正有）【課題】安全性の向上を図ることができる扇風機を提供すること。【解決手段】扇風機において、制御部８は、扇風機が運転中において、ガード６に物が触れたことを検知部１５が検知したことに応答して、ファンの回転を直ちに停止させるためにモータ４への通電を一時遮断すると共にモータ４にブレーキをかける。そして、制御部８は、扇風機の回転中において、一定時間内に、ガード６に物が触れたとの検知部１５の検知回数が所定回数に到達すると、扇風機の運転を停止する。そのため、検知回数が所定回数に到達した後に、ガード６から物が離れてもファンの回転が再開されない。つまり、たとえば悪戯などによってガード６に物が頻繁に（上述した所定回数以上）触れた場合には、扇風機の運転が強制的に停止され、その後のファンの回転が再開されないので、悪戯を抑制できる。【選択図】図２
2010209792.tif 000002
【特許請求の範囲】
【請求項１】
送風用のファンと、前記ファンを回転させるためのモータと、前記ファンを取り囲むように設けられ、前記ファンに物が触れるのを防止するためのガードと、前記ガードに物が触れたか否かを検知するための検知部と、前記モータの回転を制御するための回転制御部と、を有する扇風機において、
前記回転制御部は、
前記扇風機が運転中において、前記ガードに物が触れたことを前記検知部が検知したことに応答して、前記ファンを直ちに停止させるために前記モータへの通電を一時遮断すると共に前記モータにブレーキをかけ、
前記扇風機が運転中において、一定時間内に前記検知部の検知回数が所定回数に到達すると、前記扇風機の運転を停止することを特徴とする、扇風機。
【請求項２】
前記回転制御部は、一定時間以上前記ガードに物が触れているとの前記検知部からの検知信号があるときは、前記扇風機の運転を停止することを特徴とする、請求項１記載の扇風機。
【請求項３】
前記扇風機を持ち運ぶために把持される把持部と、前記把持部が把持されたことを検知するための検知部と、をさらに有し、
前記回転制御部は、前記扇風機が運転中において、前記把持部が把持されたことを前記検知部が検知したことに応答して前記扇風機の運転を停止することを特徴とする、請求項１または２記載の扇風機。
【請求項４】
扇風機本体と、前記扇風機本体に設けられた送風用のファンと、前記ファンを回転させるためのモータと、前記扇風機本体を持ち運ぶために把持される把持部と、前記把持部が把持されたことを検知するための検知部と、前記モータの回転を制御するための回転制御部と、を有する扇風機において、
前記回転制御部は、前記扇風機が運転中において、前記把持部が把持されたことを前記検知部が検知したことに応答して前記扇風機の運転を停止することを特徴とする、扇風機。
【発明の詳細な説明】
【技術分野】
【０００１】
この発明は、扇風機に関する。
【背景技術】
【０００２】
一般的な扇風機では、モータによって回転駆動されるファンが設けられており、このファンは、保護金網によって取り囲まれていて、ファンに物が触れるのが防止されている（たとえば、特許文献１参照）。
特許文献１に記載の扇風機では、ファンの回転中において保護金網に物が触れると、ファンの回転が一時停止され、その後、保護金網から物が離れると、ファンの回転が再開される。
【先行技術文献】
【特許文献】
【０００３】
【特許文献１】特公昭５１−３２２０２号公報
【発明の概要】
【発明が解決しようとする課題】
【０００４】
特許文献１に記載の扇風機では、保護金網に物が触れている間はファンの回転が停止されるので、安全性が高い。しかし、扇風機の安全性の向上は、常に望まれている。また、扇風機では、安全性だけでなく、操作性の向上も常に望まれている。
この発明は、かかる背景のもとでなされたもので、安全性の向上を図ることができる扇風機を提供することを主たる目的とする。
【０００５】
また、この発明は、操作性の向上を図ることができる扇風機を提供することを別の目的とする。
【課題を解決するための手段】
【０００６】
請求項１記載の発明は、送風用のファンと、前記ファンを回転させるためのモータと、前記ファンを取り囲むように設けられ、前記ファンに物が触れるのを防止するためのガードと、前記ガードに物が触れたか否かを検知するための検知部と、前記モータの回転を制御するための回転制御部と、を有する扇風機において、前記回転制御部は、前記扇風機が運転中において、前記ガードに物が触れたことを前記検知部が検知したことに応答して、前記ファンを直ちに停止させるために前記モータへの通電を一時遮断すると共に前記モータにブレーキをかけ、前記扇風機が運転中において、一定時間内に前記検知部の検知回数が所定回数に到達すると、前記扇風機の運転を停止することを特徴とする、扇風機である。
【０００７】
請求項２記載の発明は、前記回転制御部は、一定時間以上前記ガードに物が触れているとの前記検知部からの検知信号があるときは、前記扇風機の運転を停止することを特徴とする、請求項１記載の扇風機である。
請求項３記載の発明は、前記扇風機を持ち運ぶために把持される把持部と、前記把持部が把持されたことを検知するための検知部と、をさらに有し、前記回転制御部は、前記扇風機が運転中において、前記把持部が把持されたことを前記検知部が検知したことに応答して前記扇風機の運転を停止することを特徴とする、請求項１または２記載の扇風機である。
【０００８】
請求項４記載の発明は、扇風機本体と、前記扇風機本体に設けられた送風用のファンと、前記ファンを回転させるためのモータと、前記扇風機本体を持ち運ぶために把持される把持部と、前記把持部が把持されたことを検知するための検知部と、前記モータの回転を制御するための回転制御部と、を有する扇風機において、前記回転制御部は、前記扇風機が運転中において、前記把持部が把持されたことを前記検知部が検知したことに応答して前記扇風機の運転を停止することを特徴とする、扇風機である。
【発明の効果】
【０００９】
請求項１記載の発明によれば、この扇風機は、ガードに物が触れたか否かを検知するための検知部と、ファンを回転させるためのモータの回転を制御するための回転制御部と、を有している。
ここで、回転制御部は、扇風機が運転中において、ガードに物が触れたことを検知部が検知したことに応答して、モータへの通電を一時遮断すると共にモータにブレーキをかけることでファンを直ちに停止させる。この場合、ガードに物が触れている間は、ファンの回転が停止しているので安全である。
【００１０】
そして、回転制御部は、扇風機が運転中において、一定時間内に、ガードに物が触れたとの検知部の検知回数が所定回数に到達すると、扇風機の運転を停止する。そのため、検知回数が所定回数に到達した後に、ガードから物が離れてもファンの回転が再開されない。
つまり、たとえば悪戯などによってガードに物が頻繁に（上述した所定回数以上）触れた場合には、扇風機の運転が強制的に停止され、その後のファンの回転が再開されないので、悪戯を抑制できる。
【００１１】
その結果、安全性の向上を図ることができる。
請求項２記載の発明によれば、回転制御部は、一定時間以上ガードに物が触れているとの検知部からの検知信号があるときは、扇風機の運転を停止するので、安全性のさらなる向上を図ることができる。
請求項３および４記載の発明によれば、この扇風機では、扇風機が運転中において、扇風機（扇風機本体）を持ち運ぶために把持部が把持されたことを検知部が検知したことに応答して、回転制御部が扇風機の運転を自動的に停止するので、扇風機の持ち運びに先立って、扇風機の運転を停止するために操作スイッチ等を別途操作せずに済む。
【００１２】
その結果、操作性の向上を図ることができる。
【図面の簡単な説明】
【００１３】
【図１】この発明の一実施形態に係る扇風機１の右側面図であって、一部を断面で示している。
【図２】扇風機１の電気的構成を示すブロック図である。
【図３】制御部８による第１の例に係る制御を示すフローチャートである。
【図４】制御部８による第２の例に係る制御を示すフローチャートである。
【発明を実施するための形態】
【００１４】
以下には、図面を参照して、この発明の実施形態について具体的に説明する。
図１は、この発明の一実施形態に係る扇風機１の右側面図であって、一部を断面で示している。ここで、図１において、左側が扇風機１の正面側（前側）である。
図１に示すように、扇風機１は、扇風機本体１Ａを備えており、扇風機本体１Ａは、ベース２と、支柱３と、モータ４と、送風用のファン５と、ファン５に物が触れるのを防止するためのガード６とを含んでいる。尚、正確にいえば、図１において、符号４は、モータ等を覆っているカバーであるが、ここでは便宜上、この部分をモータ４としている。
【００１５】
ベース２は、たとえば上下に薄い板状であり、載置面に載置される。ベース２の上面の正面側には、扇風機１の運転を制御するために操作されるキー等で構成された操作部７が配置されている。操作部７は、ベース２から取り外し可能な、いわゆるリモコン形式であってもよい。ベース２内には、マイクロコンピュータ等で構成された制御部８（回転制御部）が内蔵されており、ユーザによる操作部７の操作に基づいて、制御部８が、扇風機１の運転（モータ４の駆動等）を制御する。
【００１６】
支柱３は、ベース２の上面から上方へ立設されている。支柱３の上端に、モータ４が連結されている。モータ４は、支柱３を中心として左右（図１の紙面手前側および奥側）に回動自在に連結されている。ここで、このモータ４は、交流電力で駆動される。
そして、モータ４の回転軸９が、前側へ凸設されており、回転軸９の前端に、ファン５が連結されている。モータ４が駆動されると、ファン５は、回転軸９を中心として所定方向（通常、前方から見て右回り）へ回転する。これにより、ファン５から前方へ向かう風（太い実線矢印参照）が発生する。
【００１７】
ガード６は、正面視で円形をなし、ファン５の周囲を取り囲むように前後の両方へ膨出しており、複数本の金属ワイヤ１０によって籠状に形成されている。
さらに、ガード６の後部には、モータ４の上部から上方ヘ膨らむように、ワイヤを折り曲げて形成された把持部１１が設けられている。扇風機１を持ち運びたい場合には、把持部１１が把持される。
【００１８】
図２は、扇風機１の電気的構成を示すブロック図である。
図２に示すように、扇風機１では、上述した制御部８に対して、上述したモータ４および操作部７、ならびに、検知部１５、モータ駆動部１６（回転制御部）、モータ停止部１７（回転制御部）および表示部１８が電気的に接続されている。また、検知部１５には、ガード６および把持部１１が電気的に接続されている。
【００１９】
制御部８は、時間計測を行うタイマ１９と、メモリ２０とを備えている。
操作部７は、扇風機１の運転を開始するために押される運転入キー２１と、扇風機１の運転を停止するために押される運転切キー２２とを備えている。
検知部１５は、ガード６に物が触れたか否かを検知することができる。また、検知部１５は、把持部１１が把持されたことを検知することができる。これらの検知は、たとえば、ガード６や把持部１１に物が触れた場合に生じる微弱な電流を検知することにより行われる。検知部１５の検知結果は、制御部８に送られる。ここで、検知部１５の検知結果に基づき、ガード６に物が何回触れたかというタッチ回数が、メモリ２０に記憶できるようにされている。
【００２０】
モータ駆動部１６は、モータ４を回転させるものであり、詳しくは、ＯＮされることによって、モータ４に交流電力を供給してモータ４を回転させる。これにより、ファン５（図１参照）が回転する。モータ駆動部１６がＯＦＦされると、モータ４への交流電力の供給が停止する。ここで、モータ４への交流電力の供給が停止されただけでは、その後もモータ４は惰性で回転する。よって、ファン５も回転を続ける。
【００２１】
モータ停止部１７は、モータ４の回転を直ちに停止させるものである。詳しくは、モータ停止部１７は、ＯＮされることにより、モータ４に対して一定電圧（直流電力）を与え、モータ４に電磁ブレーキをかける。そのため、モータ駆動部１６のＯＦＦと、モータ停止部１７のＯＮとを連動させることで、モータ４への通電が一時遮断されると共にモータ４にブレーキがかけられるので、ファン５の回転を、すぐに停止させられる。
【００２２】
この実施例では、モータ停止部１７側は、モータ４に電気的に電磁ブレーキをかける構成を採用しているが、モータ４に機械的なメカブレーキをかける構成を用いてもよい。
表示部１８は、たとえば、ベース２（図１参照）の上面において操作部７の近くに設けられている。表示部１８には、扇風機１における運転状況が表示される。
図３は、制御部８による第１の例に係る制御を示すフローチャートである。
【００２３】
この扇風機１では、第１の例に係る制御として下記制御がなされている。
詳しくは、図３を参照して、まず、運転入キー２１が押されると（ステップＳ１でＹＥＳ）、制御部８は、運転を入とする。運転入では、モータ駆動部１６をＯＮにし、モータ停止部１７をＯＦＦにすると同時に、タイマ１９による１分間の時間計測（１分カウント）を開始する（ステップＳ２）。これにより、扇風機１の運転（ファン５の回転）が開始される。
【００２４】
扇風機１の運転終了時には、運転切キー２２が押されるので、制御部８は、それを判断し（ステップＳ３でＹＥＳ）、運転を切とし、モータ駆動部１６をＯＦＦにし、モータ停止部１７をＯＮにする。これにより、扇風機１の運転（ファン５の回転）は直ちに停止する。また、タイマ１９による時間計測が停止し（１分カウントがクリアされ）、メモリ２０内に上述したタッチ回数が記憶されていれば、このタッチ回数がクリアされる（ステップＳ４）。
【００２５】
一方、扇風機１の運転中においては（ステップＳ３でＮＯ）、制御部８は、検知部１５の検知結果に基づいて、ガード６に物が触れたかを確認する（ステップＳ５）。そして、ガード６に物が触れない状態が１分経過するごとに（ステップＳ６）、１分カウントおよびタッチ回数をクリアした後に、新たな１分カウントを開始する（ステップＳ７）。つまり、１分間単位で、その間にガード６に物が触れたか否かがチェックされる。そして、後述するように、１分間の間にガード６に物が触れた回数（タッチ回数）が調べられる。
【００２６】
扇風機１の運転中においてガード６に物が触れると（ステップＳ５でＹＥＳ）、制御部８は、運転は入のまま、モータ駆動部１６をＯＦＦにし、モータ停止部１７をＯＮにする（ステップＳ８）。つまり、ガード６に物が触れると直ちにモータ４およびファン５の回転が停止される。よって、誤って、子供などがガード６に触れたときは、直ちにファン５の回転が止まり、安全性が高い。また、制御部８は、メモリ２０に記憶するタッチ回数の値をインクリメント（＋１）する（ステップＳ８）。
【００２７】
次いで、制御部８は、メモリ２０に記憶されたタッチ回数が所定回数（たとえば３回）以上か否かを確認し、一定時間（上述した１分間）内に検知部１５の検知回数（タッチ回数）が所定回数（３回）以上であれば（ステップＳ９でＹＥＳ）、ステップＳ４に至って運転を切とし（扇風機１の運転を停止し）、モータ駆動部１６をＯＦＦ、モータ停止部１７をＯＮとし、１分カウントおよびタッチ回数をクリアする。この場合、その後ガード６から物が離れても、運転入キー２１を押さなければ（ステップＳ１でＹＥＳ）、扇風機１の運転を再開することができない。そのため、たとえば悪戯などによってガード６に物が頻繁に（上述した所定回数以上）触れた場合には、扇風機１の運転が強制的に停止され、その後のファン５の回転が再開されないので、悪戯を抑制できる。よって、安全性の向上を図ることができる。また、後述するように、悪戯に限らず、ガード６に物が引っ掛かって外れない場合にも、扇風機１の運転（ファン５の回転）が強制的に完全停止されることとなるので、ファン５が回転しない状態でガード６から物を安全に外すことができる。
【００２８】
一方、タッチ回数が３回未満であれば（ステップＳ９でＮＯ）、制御部８は、ガード６から物が離れたことを確認すると（ステップＳ１０でＹＥＳ）、モータ駆動部１６をＯＮにし、モータ停止部１７をＯＦＦにする（ステップＳ１３）。これにより、運転入キー２１を押さなくても、自動的に、扇風機１の運転（ファン５の回転）が再開される。なお、このとき、ガード６から物が離れてから直ぐにファン５の回転を開始させてもよいし、たとえば、ガード６に触れていた子供の手が十分に遠ざかるのを待つように、所定時間、たとえば３秒経過後にファン５を回転させてもよい。
【００２９】
ガード６から物が離れていない場合には（ステップＳ１０でＮＯ）、制御部８は、運転切キー２２が押されたか否かを確認し（ステップＳ１１）、また、検知部１５からの検知信号に基づいて、ガード６から物が離れない状態がたとえば１０秒以上となったか否かを判別する（ステップＳ１２）。ガード６から物が離れない状態として、たとえば子供が指をガード６に挟んで抜きとれないときとか、何らかの原因でガード６に触れたものが離れないことが考えられる。かかる場合は、運転入のままファン５を一時的に止めておくのは好ましくないから、制御部８は、操作者が運転切キー２２を押したとき（ステップＳ１１でＹＥＳ）、または、上述した１０秒経過時に（ステップＳ１２でＹＥＳ）、運転切として、扇風機１の運転を停止する（ステップＳ４）。これにより、安全性のさらなる向上を図ることができる。
【００３０】
以上のように、第１の例に係る制御では、制御部８が、入、切制御をし、かつ、モータ駆動部１６およびモータ停止部１７のそれぞれのＯＮ・ＯＦＦを制御することで、ファン５（モータ４）の回転（扇風機１の運転）を制御している。これにより、上述したように、安全性の向上を図ることができる。
図４は、制御部８による第２の例に係る制御を示すフローチャートである。
【００３１】
また、この扇風機１では、第２の例に係る制御として下記制御がなされている。ここで、第２の例に係る制御では、検知部１５（図２参照）は、把持部１１が把持されたか否かを検知し、検知結果を制御部８に送る。この場合、検知部１５は、上述したように、把持部１１が把持された場合に生じる微弱な電流を検知する。なお、この電流は、人体に全く影響を与えないほど微弱である。
【００３２】
そして、第２の例に係る制御では、まず、運転入キー２１が押されると（ステップＳ２１でＹＥＳ）、制御部８は、モータ駆動部１６をＯＮにし、モータ停止部１７をＯＦＦにして、運転を入にする（ステップＳ２２）。これにより、扇風機１の運転（ファン５の回転）が開始される。
その後、運転切キー２２が押されると（ステップＳ２３でＹＥＳ）、制御部８は、モータ駆動部１６をＯＦＦにし、モータ停止部１７をＯＮにして運転を切にする（ステップＳ２４）。これにより、扇風機１の運転が直ちに停止する。この場合、運転入キー２１を押すと（ステップＳ２１でＹＥＳ）、扇風機１の運転を再開することができる。
【００３３】
そして、運転切キー２２が押されておらず、扇風機１の運転が継続している場合には（ステップＳ２３でＮＯ）、制御部８は、検知部１５の検知結果に基づいて、把持部１１が把持されたか否かを確認する（ステップＳ２５）。
把持部１１が把持されていない場合には（ステップＳ２５でＮＯ）、把持部１１が把持されるまでの間、制御部８は、ステップＳ２３およびＳ２５の処理を繰り返し、運転切キー２２が押されない限り、扇風機１の運転が継続される。
【００３４】
ここで、扇風機１を移動させる等のために把持部１１が把持されると（ステップＳ２５でＹＥＳ）、制御部８は、ステップＳ２４に至ってモータ駆動部１６をＯＦＦにし、モータ停止部１７をＯＮにして運転を切にする。これにより、扇風機１の運転が直ちに停止される。この状態では、扇風機１の移動を完了した後に運転入キー２１を押さない限り（ステップＳ２１でＹＥＳ）、扇風機１の運転を再開することができない。
【００３５】
以上のように、第２の例に係る制御では、扇風機１の運転中において、扇風機本体１Ａを持ち運ぶ（扇風機１自体を移動させる）ために把持部１１が把持されたことを検知部１５が検知したことに応答して（ステップＳ２５でＹＥＳ）、制御部８が扇風機１の運転を自動的に停止する（ステップＳ２４）。そのため、扇風機１の持ち運びに先立って、扇風機１の運転を停止するために操作スイッチ（運転切キー２２）を別途操作せずに済む。
【００３６】
その結果、操作性の向上を図ることができる。
この発明は、以上の実施形態の内容に限定されるものではなく、請求項記載の範囲内において種々の変更が可能である。たとえば、上述した第１の例に係る制御と第２の例に係る制御とが組み合わされて実施されてもよい。
【符号の説明】
【００３７】
１    扇風機
１Ａ  扇風機本体
４    モータ
５    ファン
６    ガード
８    制御部（回転制御部）
１１  把持部
１５  検知部
１６  モータ駆動部（回転制御部）
１７  モータ停止部（回転制御部）
【図１】
2010209792.tif 000003
【図２】
2010209792.tif 000004
【図３】
2010209792.tif 000005
【図４】
2010209792.tif 000006